(57)【要約】【課題】部屋間の遮音性能を向上させることができる建物の壁構造を提供しようとする。【解決手段】従来の建物の壁基礎をベースとして壁板材を支持する壁支持構造にかわって、ほぼ椀状をなす本体を粘弾性材料で形成し、該本体開口側端縁に鍔状展出部を設け、該鍔状展出部の対象物に対向する面に環状の突起を設け該対象物に接触し本体内部をほぼ気密構造とし、該本体の肉厚を前記鍔状展出部から頂部に向け減少させてなる支持部材と、前記鍔状展出部が収まる穴を設けられた板状部と前記鍔状展出部を前記対象物に押し付ける様に該穴の周囲に設けられた押し付け部とを有する支持部材保持具と、を備え、前記支持部材保持具が壁基礎に固定され、前記支持部材保持具が前記鍔状展出部を壁基礎に押し付け、壁板材が前記頂部に固定されるものとした。【選択図】　　図３
2004084246.tif 000002
【特許請求の範囲】
【請求項１】
建物の壁基礎をベースとして壁板材を支持する壁支持構造であって、
ほぼ椀状をなす本体を粘弾性材料で形成し、該本体開口側端縁に鍔状展出部を設け、該鍔状展出部の対象物に対向する面に環状の突起を設け該対象物に接触し本体内部をほぼ気密構造とし、該本体の肉厚を前記鍔状展出部から頂部に向け減少させてなる支持部材と、
前記鍔状展出部が収まる穴を設けられた板状部と前記鍔状展出部を前記対象物に押し付ける様に該穴の周囲に設けられた押し付け部とを有する支持部材保持具と、
を備え、
前記支持部材保持具が前記対象物に相当する壁基礎または壁板材のうちの一方に固定され、前記支持部材保持具が前記鍔状展出部を前記対象物に相当する壁基礎または壁板材のうちの一方の側に押し付け、壁基礎または壁板材のうちの他方が前記頂部に固定される、
ことを特徴とする壁支持構造。
【請求項２】
建物の壁基礎をベースとして壁板材を支持する壁支持構造であって、
ほぼ椀状をなす本体を粘弾性材料で形成し、該本体開口側端縁に鍔状展出部を設け、該鍔状展出部の対象物に対向する面に環状の突起を設け該対象物に接触し本体内部をほぼ気密構造とし、該本体の肉厚を前記鍔状展出部から頂部に向け減少させてなる支持部材と、
長尺の平板部と該平板部の長手方向に沿った溝とを持った長手部材であるレール状固定具と、
前記鍔状展出部が収まる穴を設けられた板状部と該板状部の縁に設けられ前記溝に長手方向に摺動自在に嵌合する鍔状部と前記鍔状展出部を前記対象物に押し付ける様に該穴の周囲に設けられた押し付け部とを有する支持部材保持具と、
を備え、
前記レール状固定具の前記平板部が壁基礎または壁板材のうちの一方に固定され、前記支持部材保持具が前記レール状固定具に固定され、前記鍔状展出部が前記支持部材保持具により前記対象物に相当する前記レール状固定具に押し付けられ、壁基礎または壁板材のうちの他方が前記頂部に固定される、
ことを特徴とする壁支持構造。
【請求項３】
裏側を前記支持部材の前記頂部に固定可能であり表側に取付面を持つ長手部材である壁支持具を備え、
前記壁支持具が前記支持部材の前記頂部に固定され、壁基礎または壁板材のうちの他方が前記取付面に固定される、
ことを特徴とする請求項１または請求項２のうちのひとつに記載の壁支持構造。
【請求項４】
支持部材保持具の板状部が長尺の長手板材でできており、複数の前記穴が長手方向に沿って前記板状部に設けられることを特徴とする請求項１乃至請求項３に記載の壁支持構造。
【請求項５】
前記押し付け部が前記穴の縁に沿って設けられ前記鍔状展出部に係合する複数の爪を持つことを特徴とする請求項１乃至請求項４に記載の壁支持構造。
【請求項６】
前記押し付け部が前記穴の縁に沿って設けられ前記鍔状展出部を囲う肩を持つことを特徴とする請求項１乃至請求項４に記載の壁支持構造。
【請求項７】
建物の壁基礎をベースとした壁構造であって、
ほぼ椀状をなす本体を粘弾性材料で形成し、該本体開口側端縁に鍔状展出部を設け、該鍔状展出部の対象物に対向する面に環状の突起を設け該対象物に接触し本体内部をほぼ気密構造とし、該本体の肉厚を前記鍔状展出部から頂部に向け減少させてなる支持部材と、
前記鍔状展出部が収まる穴を設けられた板状部と前記鍔状展出部を前記対象物に押し付ける様に該穴の周囲に設けられた押し付け部とを有する支持部材保持具と、
壁面を形成する板材である壁板材と、
を備え、
前記支持部材保持具が前記対象物に相当する壁基礎または前記壁板材のうちの一方に固定され、前記支持部材保持具が前記鍔状展出部を前記対象物に相当する壁基礎または前記壁板材のうちの一方の側に押し付け、壁基礎または前記壁板材のうちの他方が前記頂部に固定される、
ことを特徴とする壁構造。
【請求項８】
建物の壁基礎をベースとした壁構造であって、
ほぼ椀状をなす本体を粘弾性材料で形成し、該本体開口側端縁に鍔状展出部を設け、該鍔状展出部の対象物に対向する面に環状の突起を設け該対象物に接触し本体内部をほぼ気密構造とし、該本体の肉厚を前記鍔状展出部から頂部に向け減少させてなる支持部材と、
長尺の平板部と該平板部の長手方向に沿った溝とを持った長手部材であるレール状固定具と、
前記鍔状展出部が収まる穴を設けられた板状部と該板状部の縁に設けられ前記溝に長手方向に摺動自在に嵌合する鍔状部と前記鍔状展出部を前記対象物に押し付ける様に該穴の周囲に設けられた押し付け部とを有する支持部材保持具と、
壁面を形成する板材である壁板材と、
を備え、
前記レール状固定具の前記平板部が壁基礎または前記壁板材のうちの一方に固定され、前記支持部材保持具が前記レール状固定具に固定され、前記鍔状展出部が前記支持部材保持具により前記対象物に相当する前記レール状固定具に押し付けられ、壁基礎または前記壁板材のうちの他方が前記頂部に固定される、
ことを特徴とする壁構造。
【請求項９】
裏側を前記支持部材の前記頂部に固定可能であり表側に取付面を持つ長手部材である壁支持具を備え、
前記壁支持具が前記支持部材の前記頂部に固定され、壁基礎または前記壁板材のうちの他方が前記取付面に固定される、
ことを特徴とする請求項７または請求項８のうちのひとつに記載の壁構造。
【請求項１０】
支持部材保持具の板状部が長尺の長手板材でできており、複数の前記穴が長手方向に沿って前記板状部に設けられることを特徴とする請求項７乃至請求項９に記載の壁構造。
【請求項１１】
前記押し付け部が前記穴の縁に沿って設けられ前記鍔状展出部に係合する複数の爪を持つことを特徴とする請求項７乃至請求項１０に記載の壁構造。
【請求項１２】
前記押し付け部が前記穴の縁に沿って設けられ前記鍔状展出部を囲う肩を持つことを特徴とする請求項７乃至請求項１０に記載の壁構造。
【発明の詳細な説明】
【０００１】
【発明の属する技術分野】
本発明は、建物の壁支持構造と壁構造に係る。特に壁基礎と壁板材の間に介在する支持構造に特徴の有る建物の壁支持構造と壁構造に関する。
【０００２】
【従来の技術】
今後、高層マンション等の高層ビルの建設が都心を中心に計画されている。建物が高層になるにしたがい、軽量で遮音性能の高い隔壁又は戸境壁が必要とされる。また、人々の音に対する関心が高まるにつれ、隣接部屋同士や上下階の室間遮音がますます重要になってきている。
遮音性能は質量則にしたがって向上するといわれている。すなわち、単位面積当たりの重量が増すほど、遮音性能があがると言われているが、実際には、質量が増えても十分な遮音性能が得られていない。その原因の一つは、振動が壁材に入射して壁表面から固体音が放射されるためである。従って、壁の施工時に、基礎や壁材に入射した振動をいかに減衰させ、他の基礎や壁材に伝えないかがポイントとなる。
【０００３】
従来の建物の内装構造は、上記目的を達成するために、
１，基礎と壁の二重構造とする。
２，基礎と壁の間に胴ふちを設ける。
３，基礎と壁の間に空隙を設ける。
４，基礎と壁の間に設ける胴ふちの構造を工夫する。
等の工夫をしていた。
【０００４】
ところで、発明者は、特公平７−３５８３８において、「ほぼ椀状をなす本体を粘弾性材料で形成し、該本体開口側端縁に鍔状展出部を設け、該鍔状展出部の対象物に対向する面に環状の突起を設け該対象物に接触し本体内部をほぼ気密構造とし、該本体の肉厚を前記鍔状展出部から頂部に向け減少させ、荷重により前記本体との接触面積が変化する荷重板部材を前記本体の頂部に接触位置させてなる防振装置」を開示している。
その防振装置は、その構造により床壁や天井壁での固体音に関連する振動に対し優れた防振性能を発揮する。
【０００５】
【発明が解決しようとする課題】
建物の内装構造の場合、床基礎、壁基礎、天井基礎等の基礎から壁、床、天井に振動が伝わり、壁、床、天井の壁材、床材、天井材が振動することによって、壁、床、天井の面から固体音が放射する。また、部屋の内部で発生した音が、壁、床、天井の壁材、床材、天井材を振動させ、その振動が床基礎、壁基礎、天井基礎に伝わり、上記の経路を通って他の部屋に伝わる。
例えば、壁では、壁基礎に固定された支持構造体が壁板材を支持している。壁基礎が振動すると、その振動エネルギーが支持構造体を介して壁板材に伝搬する。壁板材が振動し、部屋の内部に固体音を放射する。また、部屋の内部で発生した音は、壁板材を振動させ、その振動エネルギーが支持構造体を介して、壁基礎に伝わり、上述の経路を伝わって、他の部屋の内部に固体音を放射する。
従って、壁から部屋に放射される固体音のレベルを下げるためには、壁基礎と壁板材との間で振動を伝えにくい壁支持構造と壁構造とが望まれていた。
【０００６】
一方、発明者は、前述の防振装置の構造が従来の壁に使用されている支持構造体に比較して優れた振動減衰特性を有していることを見いだした。
【０００７】
本発明は以上に述べた問題点に鑑み、上記の知見を基に、案出されたもので、従来の建物の壁基礎をベースとして壁板材を支持する壁支持構造にかわって、隣接部屋間の遮音性能または上下階の部屋間の遮音性能を向上させることができ、また施工の容易な建物の壁支持構造と壁構造とを提供しようとする。
【０００８】
【課題を解決するための手段】
上記目的を達成するため、本発明にかかる建物の壁基礎をベースとして壁板材を支持する壁支持構造は、ほぼ椀状をなす本体を粘弾性材料で形成し、該本体開口側端縁に鍔状展出部を設け、該鍔状展出部の対象物に対向する面に環状の突起を設け該対象物に接触し本体内部をほぼ気密構造とし、該本体の肉厚を前記鍔状展出部から頂部に向け減少させてなる支持部材と、前記鍔状展出部が収まる穴を設けられた板状部と前記鍔状展出部を前記対象物に押し付ける様に該穴の周囲に設けられた押し付け部とを有する支持部材保持具と、を備え、前記支持部材保持具が前記対象物に相当する壁基礎または壁板材のうちの一方に固定され、前記支持部材保持具が前記鍔状展出部を前記対象物に相当する壁基礎または壁板材のうちの一方に押し付け、壁基礎または壁板材のうちの他方が前記頂部に固定されるものとした。
【０００９】
上記本発明の構成により、支持部材がほぼ椀状をなす本体を粘弾性材料で形成し、該本体開口側端縁に鍔状展出部を設け、該鍔状展出部の対象物に対向する面に環状の突起を設け該対象物に接触し本体内部をほぼ気密構造とし、該本体の肉厚を前記鍔状展出部から頂部に向け減少させてなり、支持部材保持具が前記鍔状展出部が収まる穴を設けられた板状部と前記鍔状展出部を前記対象物に押し付ける様に該穴の周囲に設けられた押し付け部とを有し、前記支持部材保持具が前記対象物に相当する壁基礎または壁板材のうちの一方に固定され、前記支持部材保持具が前記鍔状展出部を前記対象物に相当する壁基礎または壁板材のうちの一方に押し付け、壁基礎または壁板材のうちの他方が前記頂部に固定されるので、壁基礎または壁板材のうちの一方の振動が、壁基礎または壁板材のうちの一方に押し付けられている前記支持部材を介して壁基礎または壁板材のうちの他方に伝搬する際に、減衰するので、壁基礎と壁板材との間で伝搬する振動を抑制し、壁板材から放射される音響エネルギーが減少する。
【００１０】
また、上記目的を達成するため、本発明にかかる建物の壁基礎をベースとして壁板材を支持する壁支持構造は、ほぼ椀状をなす本体を粘弾性材料で形成し、該本体開口側端縁に鍔状展出部を設け、該鍔状展出部の対象物に対向する面に環状の突起を設け該対象物に接触し本体内部をほぼ気密構造とし、該本体の肉厚を前記鍔状展出部から頂部に向け減少させてなる支持部材と、長尺の平板部と該平板部の長手方向に沿った溝とを持った長手部材であるレール状固定具と、前記鍔状展出部が収まる穴を設けられた板状部と該板状部の縁に設けられ前記溝に長手方向に摺動自在に嵌合する鍔状部と前記鍔状展出部を前記対象物に押し付ける様に該穴の周囲に設けられた押し付け部とを有する支持部材保持具と、を備え、前記レール状固定具の前記平板部が壁基礎または壁板材のうちの一方に固定され、前記支持部材保持具が前記レール状固定具に固定され、前記鍔状展出部が前記支持部材保持具により前記対象物に相当する前記レール状固定具に押し付けられ、壁基礎または壁板材のうちの他方が前記頂部に固定されるものとした。
【００１１】
上記本発明の構成により、支持部材が、ほぼ椀状をなす本体を粘弾性材料で形成し、該本体開口側端縁に鍔状展出部を設け、該鍔状展出部の対象物に対向する面に環状の突起を設け該対象物に接触し本体内部をほぼ気密構造とし、該本体の肉厚を前記鍔状展出部から頂部に向け減少させてなり、レール状固定具が長尺の平板部と該平板部の長手方向に沿った溝とを持った長手部材であり、支持部材保持具が前記鍔状展出部が収まる穴を設けられた板状部と該板状部の縁に設けられ前記溝に長手方向に摺動自在に嵌合する鍔状部と前記鍔状展出部を前記対象物に押し付ける様に該穴の周囲に設けられた押し付け部とを有し、前記レール状固定具の前記平板部が壁基礎または壁板材のうちの一方に固定され、前記支持部材保持具が前記レール状固定具に固定され、前記鍔状展出部が前記支持部材保持具により前記対象物に相当する前記レール状固定具に押し付けられ、壁基礎または壁板材のうちの他方が前記頂部に固定されるので、前記支持部材保持具を前記レール状固定具の溝に沿って移動させて、支持部材を所望の位置に配置することが容易であり、壁基礎または壁板材のうちの一方の振動が、前記レール状固定具に伝搬して前記レール状固定具に押し付けられている前記支持部材を介して壁基礎または壁板材のうちの他方に伝搬する際に、減衰するので、壁基礎と壁板材との間で伝搬する振動を抑制し、壁板材から放射される音響エネルギーが減少する。
【００１２】
さらに、本発明に係る壁支持構造は、裏側を前記支持部材の前記頂部に固定可能であり表側に取付面を持つ長手部材である壁支持具を備え、前記壁支持具が前記支持部材の前記頂部に固定され、壁基礎または壁板材のうちの他方が前記取付面に固定されるのが好ましい。
上記本発明の構成により、壁支持具が裏側を前記支持部材の前記頂部に固定可能であり表側に取付面を持つ長手部材であり、前記壁支持具が前記支持部材の前記頂部に固定され、壁基礎または壁板材のうちの他方が前記取付面に固定されるので、前記支持部材の配置に制限されずに壁基礎または壁板材のうちの他方を固定でき、壁支持構造の施工が容易になる。
【００１３】
さらに、本発明に係る壁支持構造は、支持部材保持具の板状部が長尺の長手板材でできており、複数の前記穴が長手方向に沿って前記板状部に設けられるのが好ましい。
上記本発明の構成により、支持部材保持具の板状部が長尺の長手板材でできており、複数の前記穴が長手方向に沿って前記板状部に設けられので、複数の支持部材を支持部材保持具により位置決めすることができ、壁支持構造の施工が容易になる。
【００１４】
さらに、本発明に係る壁支持構造は、前記押し付け部が前記穴の縁に沿って設けられ前記鍔状展出部に係合する複数の爪を持つのが好ましい。
上記本発明の構成により、前記押し付け部の複数の爪が、前記穴の縁に沿って設けられ、前記鍔状展出部に係合するので、複数の爪の撓みによる力で前記支持部材を前記対象物に押し付けることができ、支持部材の機能を効果的に発揮することができる。
【００１５】
さらに、本発明に係る壁支持構造は、前記押し付け部が前記穴の縁に沿って設けられ前記鍔状展出部を囲う肩を持つのが好ましい。
上記本発明の構成により、前記押し付け部の肩が、前記穴の縁に沿って設けられ、前記鍔状展出部を囲うので、肩の剛な力で前記支持部材を前記対象物に押し付けることができ、支持部材の機能を効果的に発揮することができる。
【００１６】
上記目的を達成するため、本発明にかかる建物の壁基礎をベースとした壁構造は、ほぼ椀状をなす本体を粘弾性材料で形成し、該本体開口側端縁に鍔状展出部を設け、該鍔状展出部の対象物に対向する面に環状の突起を設け該対象物に接触し本体内部をほぼ気密構造とし、該本体の肉厚を前記鍔状展出部から頂部に向け減少させてなる支持部材と、前記鍔状展出部が収まる穴を設けられた板状部と前記鍔状展出部を前記対象物に押し付ける様に該穴の周囲に設けられた押し付け部とを有する支持部材保持具と、壁面を形成する板材である壁板材と、を備え、前記支持部材保持具が前記対象物に相当する壁基礎または前記壁板材のうちの一方に固定され、前記支持部材保持具が前記鍔状展出部を前記対象物に相当する壁基礎または前記壁板材のうちの一方に押し付け、壁基礎または前記壁板材のうちの他方が前記頂部に固定されるものとした。
【００１７】
上記本発明の構成により、支持部材がほぼ椀状をなす本体を粘弾性材料で形成し、該本体開口側端縁に鍔状展出部を設け、該鍔状展出部の対象物に対向する面に環状の突起を設け該対象物に接触し本体内部をほぼ気密構造とし、該本体の肉厚を前記鍔状展出部から頂部に向け減少させてなり、支持部材保持具が前記鍔状展出部が収まる穴を設けられた板状部と前記鍔状展出部を前記対象物に押し付ける様に該穴の周囲に設けられた押し付け部とを有し、壁板材が壁面を形成する板材であり、前記支持部材保持具が前記対象物に相当する壁基礎または前記壁板材のうちの一方に固定され、前記支持部材保持具が前記鍔状展出部を前記対象物に相当する壁基礎または前記壁板材のうちの一方に押し付け、壁基礎または前記壁板材のうちの他方が前記頂部に固定されるので、壁基礎または前記壁板材のうちの一方の振動が、壁基礎または前記壁板材のうちの一方に押し付けられている前記支持部材を介して壁基礎または前記壁板材のうちの他方に伝搬する際に、減衰するので、壁基礎と前記壁板材との間で伝搬する振動を抑制し、前記壁板材から放射される音響エネルギーが減少する。
【００１８】
また、上記目的を達成するため、本発明にかかる建物の壁基礎をベースとした壁構造は、ほぼ椀状をなす本体を粘弾性材料で形成し、該本体開口側端縁に鍔状展出部を設け、該鍔状展出部の対象物に対向する面に環状の突起を設け該対象物に接触し本体内部をほぼ気密構造とし、該本体の肉厚を前記鍔状展出部から頂部に向け減少させてなる支持部材と、長尺の平板部と該平板部の長手方向に沿った溝とを持った長手部材であるレール状固定具と、前記鍔状展出部が収まる穴を設けられた板状部と該板状部の縁に設けられ前記溝に長手方向に摺動自在に嵌合する鍔状部と前記鍔状展出部を前記対象物に押し付ける様に該穴の周囲に設けられた押し付け部とを有する支持部材保持具と、壁面を形成する板材である壁板材と、を備え、前記レール状固定具の前記平板部が壁基礎または前記壁板材のうちの一方に固定され、前記支持部材保持具が前記レール状固定具に固定され、前記鍔状展出部が前記支持部材保持具により前記対象物に相当する前記レール状固定具に押し付けられ、壁基礎または前記壁板材のうちの他方が前記頂部に固定されるものとした。
【００１９】
上記本発明の構成により、支持部材が、ほぼ椀状をなす本体を粘弾性材料で形成し、該本体開口側端縁に鍔状展出部を設け、該鍔状展出部の対象物に対向する面に環状の突起を設け該対象物に接触し本体内部をほぼ気密構造とし、該本体の肉厚を前記鍔状展出部から頂部に向け減少させてなり、レール状固定具が長尺の平板部と該平板部の長手方向に沿った溝とを持った長手部材であり、支持部材保持具が前記鍔状展出部が収まる穴を設けられた板状部と該板状部の縁に設けられ前記溝に長手方向に摺動自在に嵌合する鍔状部と前記鍔状展出部を前記対象物に押し付ける様に該穴の周囲に設けられた押し付け部とを有し、壁板材が壁面を形成する板材であり、前記レール状固定具の前記平板部が壁基礎または前記壁板材のうちの一方に固定され、前記支持部材保持具が前記レール状固定具に固定され、前記鍔状展出部が前記支持部材保持具により前記対象物に相当する前記レール状固定具に押し付けられ、壁基礎または前記壁板材のうちの他方が前記頂部に固定されるので、前記支持部材保持具を前記レール状固定具の溝に沿って移動させて、支持部材を所望の位置に配置することが容易であり、壁基礎または前記壁板材のうちの一方の振動が、前記レール状固定具に伝搬して前記レール状固定具に押し付けられている前記支持部材を介して壁基礎または前記壁板材のうちの他方に伝搬する際に、減衰するので、壁基礎と前記壁板材との間で伝搬する振動を抑制し、前記壁板材から放射される音響エネルギーが減少する。
【００２０】
さらに、本発明に係る壁構造は、裏側を前記支持部材の前記頂部に固定可能であり表側に取付面を持つ長手部材である壁支持具を備え、前記壁支持具が前記支持部材の前記頂部に固定され、壁基礎または前記壁板材のうちの他方が前記取付面に固定されるのが好ましい。
上記本発明の構成により、壁支持具が裏側を前記支持部材の前記頂部に固定可能であり表側に取付面を持つ長手部材であり、前記壁支持具が前記支持部材の前記頂部に固定され、壁基礎または前記壁板材のうちの他方が前記取付面に固定されるので、前記支持部材の配置に制限されずに壁基礎または前記壁板材のうちの他方を固定でき、壁構造の施工が容易になる。
【００２１】
さらに、本発明に係る壁構造は、支持部材保持具の板状部が長尺の長手板材でできており、複数の前記穴が長手方向に沿って前記板状部に設けられるのが好ましい。
上記本発明の構成により、支持部材保持具の板状部が長尺の長手板材でできており、複数の前記穴が長手方向に沿って前記板状部に設けられので、複数の支持部材を支持部材保持具により位置決めすることができ、壁構造の施工が容易になる。
【００２２】
さらに、本発明に係る壁構造は、前記押し付け部が前記穴の縁に沿って設けられ前記鍔状展出部に係合する複数の爪を持つのが好ましい。
上記本発明の構成により、前記押し付け部の複数の爪が、前記穴の縁に沿って設けられ、前記鍔状展出部に係合するので、複数の爪の撓みによる力で前記支持部材を前記対象物に押し付けることができ、支持部材の機能を効果的に発揮することができる。
【００２３】
さらに、本発明に係る壁構造は、前記押し付け部が前記穴の縁に沿って設けられ前記鍔状展出部を囲う肩を持つのが好ましい。
上記本発明の構成により、前記押し付け部の肩が、前記穴の縁に沿って設けられ、前記鍔状展出部を囲うので、肩の剛な力で前記支持部材を前記対象物に押し付けることができ、支持部材の機能を効果的に発揮することができる。
【００２４】
【発明の実施の形態】
以下、本発明の好ましい第一の実施形態に係る壁支持構造と壁構造とを、図面を参照して説明する。なお、各図において、共通する部分には同一の符号を付し、重複した説明を省略する。
説明の便宜上、後述する支持部材を、その鍔状展出部を壁基礎側へ向け、頂部を壁板材側へ向けて、壁基礎と壁板材の間に配した場合を例にとり説明する。
【００２５】
図１は、本発明の実施形態の全体側面図である。図２は、本発明の第一の実施形態の側面断面図である。図３は、本発明の第一の実施形態のＢ−Ｂ断面図である。
【００２６】
建物１は、壁基礎６と床基礎７と天井基礎８とで構成される。部屋２が、壁基礎６と床基礎７と天井基礎８とで区切られた空間の中に形成される。部屋２は、壁３と床４と天井５とで囲まれた空間である。壁支持構造９が、壁基礎６をベースとして壁板材５０を支持する。同じく、床支持構造が、床基礎７をベースとして床板材を支持し、天井支持構造が天井基礎をベースとして天井板材を支持する。
【００２７】
壁支持構造９は、建物１の壁基礎６をベースとして壁板材５０を支持するものであり、支持部材１０と支持部材保持具２０と壁支持具３０と粘弾性板４０とで構成される。
【００２８】
壁板材５０は、壁面を形成する板材であり、例えば、石膏ボード、壁用ベニア板等の建材である。
【００２９】
支持部材１０は、後述する支持部材保持具２０により壁基礎６に押し付けられ壁板材５０を支持するためのものであり、ほぼ椀状をなす本体１１を粘弾性材料で形成し、本体開口側端縁に鍔状展出部１３を設け、鍔状展出部１３の対象物に対向する面に環状の突起１４を設け該対象物に接触し本体内部をほぼ気密構造とし、本体の肉厚を前記鍔状展出部から頂部１２に向け減少させてなる部材である。
【００３０】
支持部材保持具２０は、壁基礎６に固定され支持部材１０を壁基礎６に押し付けるためのものであり、板状部２１と押し付け部２２とを有する。
板状部２１は、壁基礎６に固定可能になっており鍔状展出部１３が収まる穴Ｈを設けられた板状の部分である。
押し付け部２２は、鍔状展出部１３を前記対象物に相当する壁基礎６に押し付ける様に該穴Ｈの周囲に設けられる部分である。
【００３１】
各種の形式の支持部材保持具２０を、図を基に、詳述する。図６は、支持部材保持具２０の第１の実施例である。図７は、支持部材保持具２０の第２の実施例である。図８は、支持部材保持具２０の第３の実施例である。
第１の実施例の支持部材保持具２０では、板状部２１は、略四辺形の外形をもち、中央に穴Ｈが設けられ、四辺形の四隅に取り付け用穴２４が設けられる。押し付け部２２は、穴Ｈの縁に沿って設けられ鍔状展出部１３に係合する複数の爪２２ａを持つ。
第２の実施例の支持部材保持具２０では、板状部２１は、略四辺形の外形をもち、中央に穴Ｈが設けられ、四辺形の四隅に取り付け用穴２４が設けられる。押し付け部２２は、穴Ｈの縁に沿って設けられた鍔状展出部１３を囲って覆う肩２２ｂを持つ。
第３の実施例の支持部材保持具２０では、板状部２１は長尺の長手板材でできており、複数の穴Ｈが長手方向に沿って所定の間隔で板状部２１に設けられる。押し付け部２２は、穴Ｈの縁に沿って設けられ鍔状展出部１３に係合する複数の爪２２ａ、または穴Ｈの縁に沿って設けられた鍔状展出部１３を覆う肩２２ｂを持つ。
ところで、　図６〜図８に示した支持部材保持具２０はさらに鍔状部２３を持っているが、これは後述する第二の実施形態に係る壁支持構造にも兼用するためであり、第一の実施形態に係る支持部材保持具２０ではなくてもよい。
【００３２】
壁支持具３０は、支持部材１０に固定され壁板材５０を支持するための部材であり、裏側を支持部材１０の頂部１２に固定可能であり表側に取付面３１を持つ長手部材である。
図３には、四辺形に折り曲げられ一辺の中央部が切り欠かれた断面を持った薄板の長手部材が示されている。この部材を「Ｍバー」と呼称する。「Ｍバー」の切り欠き部に対向する辺の外側の面が取付面３１を形成する。支持部材１０の頂部１２を固定するネジ穴と壁板材５０を固定するネジ穴とが「Ｍバー」の切り欠き部に対向する辺に設けられる。
【００３３】
粘弾性板４０は、粘弾性材料（例えば、ゴム）でできた板である。粘弾性板４０は、壁支持具３０と壁板材５０との間に挟まる様に設けられる。
【００３４】
第一の実施形態の壁支持構造と壁構造の施工方法を説明する。
支持部材保持具２０が、板状部２１を壁基礎６に当接する様に配置され、取付ネジ２５又は接着剤で壁基礎６固定される。支持部材保持具２０は、所定の間隔で壁基礎６の表面に均等に配置される。特に、接着剤で固定した場合、壁基礎に塗った接着剤が、取付穴から溢れて取付穴の上部で玉状に固化して、支持部材保持具２０が剥がれるのを防止する。
支持部材１０の鍔状展出部１３が、支持部材保持具２０の穴Ｈに収められる。支持部材保持具２０の押し付け部２２が支持部材１０の鍔状展出部１３を壁基礎６へ押し付けて、環状の突起１４が壁基礎６に接触する。
壁支持具３０が、支持部材１０の頂部１２に固定ネジ３２で固定される。壁支持具３０の長さは、部屋２の天井高さまたは壁幅より僅かに短い。通常は、壁支持具３０は、長手方向が垂直または水平になるように配置される。
粘弾性板４０が、壁支持具３０の表面に貼り付けられる。
壁板材５０が、粘弾性板４０を挟んで、壁支持具３０の取付面３１に取付ネジ５１で固定される。壁板材５０は、定尺サイズのボードである。複数の壁板材５０が、組み合わされて壁支持具３０に固定され、部屋２の壁３を形成する。
壁板材５０の表面は、さらに壁紙等が貼られて化粧を施される。
【００３５】
次に、本発明の第一の実施形態に係る壁支持構造と壁構造の防音上の作用を説明する。
建物で発生した振動・騒音は、固体音となって基礎に伝搬する。
壁基礎に伝わった振動エネルギーは、支持部材１０に伝搬する。支持部材１０は、その振動減衰特性により振動加速度を減衰し、振動エネルギーを小さくする。小さくなった振動エネルギーは、頂部１２から壁支持具３０へ伝搬する。壁支持具３０の振動エネルギーは、粘弾性部材４０を介して壁板材５０へ伝搬する際に、さらに振動加速度を減少させ、壁板材５０へ伝搬する。壁板材５０が振動すると、部屋２の内部の空気を加速して、部屋２へ音響を放射する。
支持部材１０は、加振力で振動される鍔状展出部または頂部のうちの一方の加速度に比較し、鍔状展出部または頂部のうちの他方の加速度が小さいという振動減衰特性を持っているので、部屋２の内部へ放射される音響エネルギーが小さくなる。
【００３６】
次に、本発明の第二の実施形態に係る壁支持構造と壁構造とを説明する。
図１は、本発明の実施形態の全体側面図である。図４は、本発明の第二の実施形態の側面断面図である。図５は、本発明の第二の実施形態のＢ’−Ｂ’断面図である。
建物１の構造は第１の実施形態での構造と同じなので、説明を省略する。
【００３７】
壁支持構造９は、建物１の壁基礎６をベースとして壁板材５０を支持するためのものであり、支持部材１０と支持部材保持具２０と壁支持具３０と粘弾性板４０とレール状固定具６０とで構成される。
支持部材１０と壁支持具３０と粘弾性板４０と壁板材５０の構造は、第１の実施形態での構造と同じなので、説明を省略する。
【００３８】
支持部材保持具２０は、後述するレール状固定具６０に支持部材１０を押し付けるためのものであり、板状部２１と鍔状部２３と押し付け部２２とを有する。板状部２１と押し付け部２２との構造は、第一の実施形態に係る壁支持構造での構造と同じなので、説明を省略する。
鍔状部２３は、板状部２１の縁に設けられ後述するレール状固定具６０の溝Ｇに長手方向に摺動自在に嵌合する部分である。
【００３９】
鍔状部２３の構造を、図６乃至図８を基に説明する。
鍔状部２３は、板状部２１の対向する一対の辺の部分である。鍔状部２３は、所定の間隔と所定の厚みを有し、後述するレール状固定具６０の溝Ｇに嵌合可能になっている。
【００４０】
レール状固定具６０は、壁基礎に固定され支持部材１０を支持するためのものであり、長尺の平板部６１と該平板部の長手方向に沿った溝Ｇとを持った長手部材である。
図５には、所定の幅を持った板材でできた平板部６１と、平板部６１の両側６２が折り曲げられて形成された所定の深さと所定の幅の溝Ｇとを持った長手部材が示されている。
さらに、取り付け用穴がレール状固定具６０の平板部６１に設けられている。溝Ｇの所定の深さと所定の幅の寸法は、支持部材保持具２０の鍔状部２３が嵌合し長手方向へ摺動するのに適当な値である。
【００４１】
第二の実施形態の壁支持構造と壁構造の施工方法を説明する。
レール状固定具６０が、平板部６１を壁基礎６に当接する様に配置され、取付ネジ６３で壁基礎６固定される。通常、レール状固定具６０は、長手方向が垂直または水平になるように、所定の間隔で壁基礎６の表面に均等に配置される。
複数の支持部材保持具２０が、鍔状部２３をレール状固定具６０の溝Ｇに嵌合して、所定の間隔で配置される。
支持部材１０の鍔状展出部１３が、支持部材保持具２０の穴Ｈに収められる。支持部材保持具２０の押し付け部２２が支持部材１０の鍔状展出部１３をレール状固定具６０へ押し付けて、環状の突起１４がレール状固定具６０の平板部６１に接触している。
壁支持具３０が、支持部材１０の頂部１２に固定ネジ３２で固定される。壁支持具３０の長さは、部屋２の天井高さまたは壁幅より僅かに短い。通常は、壁支持具３０は、長手方向が垂直または水平になるように配置される。
粘弾性板４０が、壁支持具３０の取付面３１に貼り付けられる。
壁板材５０が、粘弾性板４０を挟んで、壁支持具３０の取付面３１に取付ネジ５１で固定される。壁板材５０は、定尺サイズのボードである。複数の壁板材５０が、組み合わされて壁支持具３０に固定され、部屋２の壁３を形成する。
壁板材５０の表面は、さらに壁紙等が貼られて化粧を施される。
【００４２】
次に、本発明の第二の実施形態に係る壁支持構造と壁構造の防音上の作用を説明する。
建物で発生した振動・騒音は、固体音となって基礎に伝搬する。
壁基礎に伝わった振動エネルギーは、レール状固定具６０に伝搬する。レール状固定具６０に伝わった振動エネルギーは、支持部材１０に伝搬する。支持部材１０は、その振動減衰特性により振動加速度を減衰し、振動エネルギーを小さくする。小さくなった振動エネルギーは、頂部１２から壁支持具３０へ伝搬する。壁支持具３０の振動エネルギーは、粘弾性部材４０を介して壁板材５０へ伝搬する際に、さらに振動加速度を減少させ、壁板材５０へ伝搬する。壁板材５０が振動すると、部屋２の内部の空気を加速して、部屋２へ音響を放射する。
支持部材１０は、加振力で振動される鍔状展出部または頂部のうちの一方の加速度に比較し、鍔状展出部または頂部のうちの他方の加速度が小さいという振動減衰特性を持っているので、部屋２の内部へ放射される音響エネルギーが小さくなる。
【００４３】
【実施例】
以下で、第一又は第二の実施形態にかかる壁支持構造が壁基礎の振動を室内に漏れるのを抑制する性能を、モデル試験結果により説明する。
図９は、モデル試験結果のグラフである。
モデルは、十分に剛な上板と下板とを上下に配置し、その上板と下板との間に支持部材１０を挟んだものである。
上板をランダム加振させ、その際の上板の加速度と下板の加速度とを測定し、両方の加速度を振動数成分に分解しその比の対数（振動加速度レベル差と呼ぶ。）を評価した。
比較のために、支持部材１０のかわりにネオプレーン製の中実の球形ゴムまたは建物壁の防振用として市販されているネオプレーン製の円柱型ゴムを用いた試験も行なった。
図９では、試験結果が横軸を振動数（Ｈｚ）、縦軸を振動加速度レベル差（ｄＢ）としたグラフで示されている。振動加速度レベル差の値が大きいほど、上板の加速度に対して下板の加速度が小さく、防振性能が優れていることを示す。図９において、凡例でＣＩＶＲ−５０と記されているのが、本発明に係る支持部材である。
試験結果から、本発明の壁支持構造は、円柱型の市販ゴムまたは球形ゴムを使用した場合に比べ、ほぼ全ての振動数領域で、振動加速度レベル差が大きくなった。
このことから、本発明にかかる壁支持構造は、優れた防振効果を発揮することが分かる。
【００４４】
上述の第一または第二の実施形態の壁支持構造と壁構造を用いれば、壁基礎からの振動が壁板材に伝わりにくく、また壁板材からの振動が壁基礎に伝わりにくく、防音性能の優れた壁支持構造と壁構造とを実現できる。
また、施工現場の状況によりレール状固定具を使用しても使用しなくてもよく、施工の自由度が増す。
また、施工現場の状況により壁支持具を使用しても使用しなくてもよく、施工の自由度が増す。
また、各種の支持部材支持具を選択でき、施工の自由度が増す。
【００４５】
本発明は以上に述べた実施形態に限られるものではなく、発明の要旨を逸脱しない範囲で各種の変更が可能である。
実施例では、鍔状展出部を壁基礎に向け、頂部を壁板材に向けて、壁基礎と壁板材の間に支持部材を配置したがこれに限定されず、例えば、鍔状展出部を壁板材に向け、頂部を壁基礎に向けて、壁基礎と壁板材の間に支持部材を配置してもよい。
【００４６】
【発明の効果】
以上説明したように本発明の建物の壁基礎をベースとして壁板材を支持する壁支持構造と壁構造は、その構成により、以下の効果を有する。
壁基礎と壁板材の間に特殊な形状を持った支持部材を介在させたので、壁基礎または壁板材のうちの一方の振動が、壁基礎または壁板材のうちの一方に押し付けられている前記支持部材を介して壁基礎または壁板材のうちの他方に伝搬する際に、減衰されるので、壁基礎と壁板材との間で伝搬する振動を抑制し、壁板材から放射される音響エネルギーが減少する。
壁基礎と壁板材の間に特殊な形状を持った支持部材とレール状固定具を組み合わせたものを介在させたので、前記支持部材保持具を前記レール状固定具の溝に沿って移動させて、支持部材を所望の位置に配置することが容易であり、壁基礎または壁板材のうちの一方の振動が、前記レール状固定具に伝搬して前記レール状固定具に押し付けられている前記支持部材を介して壁基礎または壁板材のうちの他方に伝搬する際に、減衰されるので、壁基礎と壁板材との間で伝搬する振動を抑制し、壁板材から放射される音響エネルギーが減少する。
また、壁基礎または壁板材のうちの他方と特殊な形状をした支持部材との間に壁支持具を介在させたので、前記支持部材の配置に制限されずに壁基礎または壁板材のうちの他方を固定でき、壁支持構造の施工が容易になる。
また、支持部材保持具を複数の穴が設けられた長尺部材としたので、複数の支持部材を支持部材保持具により位置決めすることができ、壁支持構造の施工が容易になる。
支持部材保持具の押し付け部が複数の爪を持つので、複数の爪の撓みによる力で前記支持部材を前記対象物に押し付けることができ、支持部材の機能を効果的に発揮することができる。
支持部材保持具の押し付け部が鍔状展出部を覆う肩を持つので、肩の剛な力で前記支持部材を前記対象物に押し付けることができ、支持部材の機能を効果的に発揮することができる。
従って、隣接部屋間の遮音性能または上下階の部屋間の遮音性能を向上させることができ、また施工の容易な建物の壁支持構造と壁構造とを提供できる。
【００４７】
【図面の簡単な説明】
【図１】本発明の実施形態の全体側面図である。
【図２】本発明の第一の実施形態の側面断面図である。
【図３】本発明の第一の実施形態のＢ−Ｂ断面図である。
【図４】本発明の第二の実施形態の側面断面図である。
【図５】本発明の第二の実施形態のＢ’−Ｂ’断面図である。
【図６】本発明の支持部材保持具の第１の実施例である。
【図７】本発明の支持部材保持具の第２の実施例である。
【図８】本発明の支持部材保持具の第３の実施例である。
【図９】本発明のモデル試験結果のグラフである。
【符号の説明】
Ｈ　穴
Ｇ　溝
１　建物
２　部屋
３　壁
４　床
５　天井
６　壁基礎
７　床基礎
８　天井基礎
９　壁支持構造
１０　支持部材
１１　本体
１２　頂部
１３　鍔状展出部
１４　突起
２０　支持部材保持具
２１　板状部
２２　押し付け部
２２ａ　爪
２２ｂ　肩
２３　鍔状部
２４　取付穴
２５　取付ネジ
３０　壁支持具（Ｍバー）
３１　取付面
３２　取付ネジ
４０　粘弾性板
５０　壁板材
６０　レール状固定具
６１　平板部
６２　両側
６３　取付ネジ
【図１】
2004084246.tif 000003
【図２】
2004084246.tif 000004
【図３】
2004084246.tif 000005
【図４】
2004084246.tif 000006
【図５】
2004084246.tif 000007
【図６】
2004084246.tif 000008
【図７】
2004084246.tif 000009
【図８】
2004084246.tif 000010
【図９】
2004084246.tif 000011